(57)【特許請求の範囲】
【請求項１】
端末装置であって、
前面及び背面を持つスクリーンディスプレイと、
潜望鏡レンズであり、当該潜望鏡レンズは、フィルタ、反射プリズムモジュール、ズームレンズ、及びセンサを有し、前記反射プリズムモジュールは、少なくとも第１の反射プリズムと第２の反射プリズムとを有する、潜望鏡レンズと
を有し、
前記フィルタは、外から伝えられた光線をフィルタリングするように構成され、且つ
前記第１の反射プリズムは、前記フィルタから放たれた光線を前記ズームレンズへと反射するように構成され、前記第２の反射プリズムは、前記ズームレンズから放たれた光線を前記センサへと反射するように構成され、
前記潜望鏡レンズの前記センサの感光面と、前記スクリーンディスプレイとが、当該端末装置の長さ方向において平行に配置され、前記センサは、前記長さ方向に沿って前記スクリーンディスプレイに並べて配置され、
当該端末装置は、前記スクリーンディスプレイの背面側に空洞を有し、前記潜望鏡レンズの前記反射プリズムモジュール及び前記ズームレンズが、前記フィルタと前記センサとの間の前記潜望鏡レンズの延在領域を形成し、該延在領域の一部のみが前記空洞内に配置され、且つ、当該端末装置の前記スクリーンディスプレイ上への前記フィルタの垂直投影の全体が、前記スクリーンディスプレイ上に位置する、
端末装置。
【請求項２】
前記フィルタは、前記第１の反射プリズムに対して第１の角度で置かれ、該第１の角度の範囲は３０°から６０°までである、請求項１に記載の端末装置。
【請求項３】
前記第１の角度は４５°である、請求項２に記載の端末装置。
【請求項４】
前記第１の反射プリズムは、前記第２の反射プリズムに対して第２の角度で置かれ、該第２の角度は０°である、請求項１乃至３の何れか一項に記載の端末装置。
【請求項５】
前記第２の反射プリズムは、前記センサに対して第３の角度で置かれ、該第３の角度の範囲は３０°から６０°までである、請求項１乃至４の何れか一項に記載の端末装置。
【請求項６】
前記第３の角度は４５°である、請求項５に記載の端末装置。
【請求項７】
前記潜望鏡レンズの前記フィルタの入光面と、当該端末装置の前記スクリーンディスプレイとが、平行に配置されている、請求項１乃至６の何れか一項に記載の端末装置。
【発明の詳細な説明】
【技術分野】
【０００１】
本出願は、２０１３年９月１６日に中国特許庁に出願された“潜望鏡レンズ及び端末装置”というタイトルの中国特許出願第２０１３１０４２２９４６．２号の優先権を主張するものであり、その全体をここに援用する。
【０００２】
本発明は、エレクトロニクス装置、特に、潜望鏡レンズ及び端末装置に関する。
【背景技術】
【０００３】
現今、携帯電話に広くカメラ機能を適用する傾向が増している。光学ズーム機能を持つ内蔵潜望鏡レンズが、携帯電話に広く適用されている。ユーザは、携帯電話及びデジタルカメラの性能に関して、例えば、より高い光学ズーム倍率や、より高い撮像品質、例えば画質、といった、より高い要求を突きつけるが、そのような高性能を満足することができる感光素子（すなわち、センサ）は、それに従って外形寸法において大きめとなる。
【０００４】
図１は、既存の潜望鏡レンズの原理図を示している。図１に示されるように、既存の潜望鏡レンズにおいては、フィルタモジュール１１０を通り抜けた後に、外部光線が、反射プリズムモジュール１２０によって反射され、中央のズームレンズモジュールによって光学的にズームされ、そして、レンズの底部に置かれるセンサ１４０上に像を形成する。見て取り得るように、既存の潜望鏡レンズの厚さＴ１はセンサの幅Ｔ２によって制約される。
【０００５】
故に、従来技術においては、撮像品質を向上させるには、潜望鏡レンズのセンサの幅を増大させる必要があり、その結果、それに従って潜望鏡レンズの厚さが増し、そして、潜望鏡レンズが組み付けられた例えば携帯電話又はデジタルカメラなどの端末装置の厚さも、それに従って増すことになる。
【発明の概要】
【０００６】
これに鑑み、本発明にて解決されることを要する技術的問題は、センサの幅によって課される潜望鏡レンズの厚さへの制約をどのようにして抑えるかである。比較的小さい厚さを有するが比較的高い撮像品質を有する潜望鏡レンズ及び端末装置が確保され得る。
【０００７】
以上の技術的問題を解決するため、第１の態様によれば、本発明は、フィルタ、反射プリズムモジュール、ズームレンズ、及びセンサを有する潜望鏡レンズを提供し、
フィルタは、外から伝えられた光線をフィルタリングするように構成され、且つ
反射プリズムモジュールは、フィルタによるフィルタリング後に得られる光線を、ズームレンズと組み合わさって、センサへと二回にわたって反射するように構成される。
【０００８】
第１の態様を参照するに、第１の取り得る実装様態において、反射プリズムモジュールは、少なくとも第１の反射プリズムと第２の反射プリズムとを有し、
第１の反射プリズムは、フィルタから放たれた光線をズームレンズへと反射するように構成され、且つ
第２の反射プリズムは、ズームレンズから放たれた光線をセンサへと反射するように構成される。
【０００９】
第１の態様の第１の取り得る実装様態を参照するに、第２の取り得る実装様態において、フィルタは、第１の反射プリズムに対して第１の角度で置かれ、第１の角度の範囲は３０°から６０°までである。
【００１０】
第１の態様の第２の取り得る実装様態を参照するに、第３の取り得る実装様態において、第１の角度は４５°である。
【００１１】
第１の態様の第１の取り得る実装様態を参照するに、第４の取り得る実装様態において、第１の反射プリズムは、第２の反射プリズムに対して第２の角度で置かれ、第２の角度の範囲は０°から４５°までである。
【００１２】
第１の態様の第４の取り得る実装様態を参照するに、第５の取り得る実装様態において、第２の角度は０°である。
【００１３】
第１の態様の第１の取り得る実装様態を参照するに、第６の取り得る実装様態において、第２の反射プリズムは、センサに対して第３の角度で置かれ、第３の角度の範囲は３０°から６０°までである。
【００１４】
第１の態様の第６の取り得る実装様態を参照するに、第７の取り得る実装様態において、第３の角度は４５°である。
【００１５】
上述の技術的問題を解決するため、第２の態様によれば、本発明は、以上の潜望鏡レンズのうちの何れか１つを含んだ端末装置を提供する。
【００１６】
第２の態様を参照するに、第１の取り得る実装様態において、潜望鏡レンズのセンサと、端末装置のスクリーンディスプレイとが、端末装置の長さ方向において平行に配置される。
【００１７】
第２の態様の第１の取り得る実装様態を参照するに、第２の取り得る実装様態において、端末装置の前記スクリーンディスプレイが背面側に空洞を有し、潜望鏡レンズのものである反射プリズムモジュール及びズームレンズが、フィルタとセンサとの間の潜望鏡レンズの延在領域を形成し、該延在領域の少なくとも一部が上記空洞内に配置され、且つ、端末装置のスクリーンディスプレイ上へのフィルタの垂直投影の少なくとも一部が、スクリーンディスプレイ上に位置する。
【００１８】
第２の態様、及び第２の態様の以上の取り得る実装様態を参照するに、第３の取り得る実装様態において、潜望鏡レンズのフィルタの入光面と端末装置のスクリーンディスプレイとが平行に配置される。
【００１９】
第２の態様、及び第２の態様の以上の取り得る実装様態を参照するに、第３の取り得る実装様態において、潜望鏡レンズのセンサの感光面と端末装置のスクリーンディスプレイとが平行に配置される。
【００２０】
実施形態における潜望鏡レンズ及び端末装置によれば、センサの幅によって課される潜望鏡レンズの厚さへの制約を抑えることができるように、  潜望鏡レンズのフィルタによるフィルタリング後に得られる光線が、ズームレンズと組み合わされた反射プリズムモジュールによって、センサへと二回にわたって反射される。撮像品質を向上させる目的で、より大きい寸法のセンサを用いること及びＯＩＳ（optical  image  stabilization；光学式画像安定化）技術を用いることに由来して、センサの外縁の寸法Ｔ２が大きくなるときに、潜望鏡レンズが比較的薄いことを確保することができ、また、同じ厚さ及び寸法の潜望鏡レンズの撮像品質を向上させることもできる。故に、潜望鏡レンズが組み付けられた端末装置が比較的小さい厚さを有しながら、比較的高い撮像品質が確保され得る。
【００２１】
本発明のその他の特徴及び態様を明らかにするため、添付の図面を参照して、典型的な実施形態を詳細に説明する。
【図面の簡単な説明】
【００２２】
明細書に含められて明細書の一部を構成する添付の図面、及び明細書は、本発明の例示的な実施形態、特徴及び態様を示しており、本発明の原理を説明するのに使用される。
【図１】既存の潜望鏡レンズの構造図を示している。
【図２】本発明の一実施形態に従った潜望鏡レンズの構造図を示している。
【図３】本発明の他の一実施形態に従った潜望鏡レンズの構造図を示している。
【図４ａ】本発明の更なる他の一実施形態に従った端末装置の構成構造の模式的な断面図を示している。
【図４ｂ】本発明の更なる他の一実施形態に従った端末装置の構成構造の模式的な背面図を示している。
【発明を実施するための形態】
【００２３】
以下、添付の図面を参照して、本発明の様々な典型的な実施形態、特徴及び態様を詳細に説明する。図面において、同一又は同様の機能を有する要素は、同じ参照符号で表される。実施形態の様々な態様が図面に示されるが、特段の明記がない限り、図面は必ずしも縮尺通りに描かれていない。
【００２４】
特有の用語“典型的な”は、ここでは、“例、実施形態、又は例証として使用される”を意味する。“典型的な”目的で記述される何れの実施形態も、必ずしも、他の実施形態よりも優れている又は良いとして説明されるわけではない。
【００２５】
加えて、本発明をよりよく記述するため、数多くの詳細が以下の具体的な実装様態にて記述される。当業者が理解するように、本発明はそれでもまた、そのような細部を用いずして実装されることができる。また、本発明の主題にハイライトを当てるため、周知の方法、手段、要素及び回路については詳細に説明しない。
【００２６】
実施形態１
図２は、本発明の一実施形態に従った潜望鏡レンズの構造図を示している。図２に示されるように、潜望鏡レンズは、フィルタ２１０、反射プリズムモジュール２２０、ズームレンズ２３０、及びセンサ（sensor）２４０を含み得る。
【００２７】
フィルタ２１０は、外から伝えられた光線をフィルタリングするように構成される。
【００２８】
反射プリズムモジュール２２０は、フィルタ２１０によるフィルタリング後に得られるセンサ２４０への光線を、ズームレンズ２３０と組み合わさって二回にわたって反射するように構成される。
【００２９】
具体的には、潜望鏡レンズのフィルタ２１０によってフィルタリングされた後、光線は、反射プリズムモジュール２２０へと伝えられ、反射プリズムモジュール２２０によって二回反射され、ズームレンズ２３０によって光学ズームされ、そして最終的にセンサ２４０へと伝えられる。
【００３０】
センサ２４０は、感光素子とすることができ、伝えられた光線に対して光電変換を実行して、電気信号を、例えば画像化などの処理のために端末装置に出力し得る。
【００３１】
図２に示されるように、潜望鏡レンズのフィルタによるフィルタリング後に得られる光線は、ズームレンズと組み合わされた反射プリズムモジュールによって、センサへと二回反射され、それに従って、センサの位置が変わって、縦向きである必要がないようにされている。故に、潜望鏡レンズの厚さＴ１は、センサの幅Ｔ２によって制約されない。結果として、一方で、撮像品質を改善するために潜望鏡レンズのセンサの幅Ｔ２が増大するときに、潜望鏡レンズの厚さＴ１が不変のままであることを確保することができ、他方で、センサの幅Ｔ２が変わらないままであるときに、潜望鏡レンズの厚さＴ１を小さくすることができる。
【００３２】
この実施形態での潜望鏡レンズによれば、センサの幅によって課される潜望鏡レンズの厚さへの制約を抑えることができるように、潜望鏡レンズのフィルタによるフィルタリング後に得られる光線が、ズームレンズと組み合わされた反射プリズムモジュールによって、センサへと二回反射される。撮像品質を向上させる目的で、より大きい寸法のセンサを用いること及びＯＩＳ光学式画像安定化技術を用いることに由来して、センサの外縁の寸法Ｔ２が大きくなるときに、潜望鏡レンズが比較的薄いことを確保することができ、また、同じ厚さ及び寸法の潜望鏡レンズの撮像品質を向上させることもできる。
【００３３】
実施形態２
図３は、本発明の他の一実施形態に従った潜望鏡レンズの構造図を示している。図２及び図３中の同じ参照符号を付されたコンポーネントは同じ機能を有する。図２に示された潜望鏡レンズと比較して、図３に示される潜望鏡レンズが異なるのは主として、反射プリズムモジュール２２０が更に、少なくとも第１の反射プリズム３１０及び第２の反射プリズム３２０を含み得るものであり、第１の反射プリズム３１０が、フィルタ２１０から放たれた光線をズームレンズ２３０へと反射するように構成され、第２の反射プリズム３２０が、ズームレンズ２３０から放たれた光線をセンサ２４０へと反射するように構成されている点である。
【００３４】
このような潜望鏡レンズでは、取り得る一実装様態において、フィルタ２１０が第１の反射プリズム３１０に対して第１の角度αで置かれ、第１の角度αの範囲は、３０°から６０°までとし得る。好ましくは、第１の角度αは４５°とし得る。
【００３５】
このような潜望鏡レンズでは、取り得る一実装様態において、第１の反射プリズム３１０が第２の反射プリズム３２０に対して第２の角度βで置かれ、第２の角度βの範囲は、０°から４５°までとし得る。好ましくは、第２の角度βは０°とし得る。すなわち、第１の反射プリズム３１０と第２の反射プリズム３２０とが平行に配置され得る。
【００３６】
このような潜望鏡レンズでは、取り得る一実装様態において、第２の反射プリズム３２０がセンサ２４０に対して第３の角度θで置かれ、第３の角度θの範囲は、３０°から６０°までとし得る。好ましくは、第３の角度θは４５°とし得る。
【００３７】
具体的には、一例において、第１の角度αは４５°であり、第２の角度βは０°であり、第３の角度θは４５°である。フィルタ２１０を通り抜けた後、光線は、第１の反射プリズム３１０によって４５°の角度で一回目の反射をされ、中央のズームレンズ２３０によって光学ズームされ、次いで第２の反射プリズム３２０によって４５°の角度で二回目の反射をされ、そして、センサ（sensor）２４０上に像を形成する。このとき、センサ２４０とズームレンズ２３０との間に９０°の角度が形成され、あるいはセンサ２４０はフィルタ２１０に対して平行である。センサ（sensor）２４０がフィルタ２１０に対して平行である場合、センサの幅は、潜望鏡レンズの厚さに対して直接的な影響を殆ど与えない。
【００３８】
この実施形態での潜望鏡レンズによれば、センサの幅によって課される潜望鏡レンズの厚さへの制約を抑えることができるように、潜望鏡レンズのフィルタによるフィルタリング後に得られる光線が、ズームレンズと組み合わされた反射プリズムモジュールによって、センサへと二回にわたって反射される。撮像品質を向上させる目的で、より大きい寸法のセンサを用いること及びＯＩＳ（optical  image  stabilization；光学式画像安定化）技術を用いることに由来して、センサの外縁の寸法Ｔ２が大きくなるときに、潜望鏡レンズが比較的薄いことを確保することができ、また、同じ厚さ及び寸法の潜望鏡レンズの撮像品質を向上させることもできる。
【００３９】
実施形態３
図４ａは、本発明の更なる他の一実施形態に従った端末装置の構成構造の模式的な断面図を示している。図４ｂは、本発明の更なる他の一実施形態に従った端末装置の構成構造の模式的な背面図を示している。図４ａ及び図４ｂに示されるように、端末装置は、上述の構造のうちの何れか１つにて、潜望鏡レンズ４１０を含み得る。
【００４０】
図４ａ及び図４ｂに示されるように、この実施形態での端末装置は更に、スクリーンディスプレイ４２０、電池４３０、ＰＣＢＡ（Printed  Circuit  Board  Assembly；印刷回路基板アセンブリ）４４０、筐体４５０、正面カメラ（Camera）４６０、受信器（Receiver）４７０、キセノンランプ４８０、ＳＩＭ（Subscriber  Identity  Module；加入者識別モジュール)カード４９０、及びＴカード（T-flashカード、取り外し可能フラッシュカード４００を含み得る。スクリーンディスプレイ４２０の種類は限定されず、スクリーンディスプレイ４２０は、ＬＣＤ（Liquid  Crystal  Display；液晶ディスプレイ）であってもよいし、別の種類のスクリーンディスプレイであってもよい。スクリーンディスプレイ４２０の制御様式は、ＴＰ（Touch  Panel；タッチパネル）制御であってもよいし、キーボード制御であってもよい。
【００４１】
このような端末装置では、取り得る一実装様態において、潜望鏡レンズ４１０のセンサ２４０と、端末装置のスクリーンディスプレイ４２０とが、端末装置の長さ方向において平行に配置され得る。斯くして、端末装置のスクリーンディスプレイの上に存在する厚み及び空間を有効活用することができ、それにより、端末装置を厚さ的に薄くすることができるだけでなく、端末装置を長さ的に短くすることもできる。
【００４２】
このような端末装置では、取り得る一実装様態において、端末装置のスクリーンディスプレイ４２０が背面側に空洞を有し、潜望鏡レンズ４１０のものである反射プリズムモジュール２２０及びズームレンズ２３０が、フィルタ２１０とセンサ２４０との間の潜望鏡レンズ４１０の延在領域を形成し、この延在領域の少なくとも一部が上記空洞内に配置され、そして、端末装置のスクリーンディスプレイ４２０に対して垂直にフィルタ２１０を投影して形成される領域（本願において、“スクリーンディスプレイ４２０上へのフィルタ２１０の垂直投影”と称する）の少なくとも一部が、スクリーンディスプレイ４２０上に位置する。斯くして、スクリーンディスプレイの背面側の端末装置の厚み及び空間を有効活用することができ、それにより、端末装置を厚さ的に薄くすることができるだけでなく、端末装置を長さ的に短くすることもできる。
【００４３】
このような端末装置では、取り得る一実装様態において、潜望鏡レンズ４１０のフィルタ２１０の入光面と、端末装置のスクリーンディスプレイ４２０とが平行に配置され得る。斯くして、潜望鏡レンズ４１０が端末装置の筐体４５０の表面から突出しないように端末装置の厚み及び空間を有効活用することができ、それにより、端末装置を厚さ的に薄くすることができるだけでなく、潜望鏡レンズをより安全にし且つ端末装置の外観をより優雅にすることもできる。
【００４４】
このような端末装置では、取り得る一実装様態において、さらに、潜望鏡レンズ４１０のセンサ２４０の感光面と、端末装置のスクリーンディスプレイ４２０とが平行に配置され得る。斯くして、潜望鏡レンズ４１０が端末装置の表面から突出しないように端末装置の厚み及び空間を最大限に有効活用することができ、それにより、端末装置が厚さ的にいっそう薄いことを確保することができるだけでなく、潜望鏡レンズをより安全にし且つ端末装置の外観をより優雅にすることもできる。
【００４５】
以上の構造のうちの何れか１つでの潜望鏡レンズが、この実施形態における端末装置に配設され得る。センサの幅によって課される潜望鏡レンズの厚さへの制約を抑えることができるように、潜望鏡レンズのフィルタによるフィルタリング後に得られる光線が、ズームレンズと組み合わされた反射プリズムモジュールによって、センサへと二回にわたって反射される。撮像品質を向上させる目的で、より大きい寸法のセンサを用いること及びＯＩＳ光学式画像安定化技術を用いることに由来して、センサの外縁の寸法Ｔ２が大きくなるときに、潜望鏡レンズが比較的薄いことを確保することができ、また、同じ厚さ及び寸法の潜望鏡レンズの撮像品質を向上させることもできる。故に、潜望鏡レンズが組み付けられた端末装置が比較的小さい厚さを有しながら、比較的高い撮像品質が確保され得る。
【００４６】
以上の記述は、単に本発明の特定の実施形態であるとともに、本発明の技術的ソリューションを説明するために使用されるに過ぎず、本発明の保護範囲はこれらに限定されるものではない。本発明にて開示された技術範囲内で当業者によって容易に考え付かれる如何なる変形又は置換も、本発明の保護範囲に入るべきものである。故に、本発明の保護範囲は、請求項の保護範囲の支配下にあるものである。
【図１】
0006556130.tif 000002
【図２】
0006556130.tif 000003
【図３】
0006556130.tif 000004
【図４ａ】
0006556130.tif 000005
【図４ｂ】
0006556130.tif 000006